(57)【要約】      （修正有）【課題】差し替え可能なシートと入力位置検出手段とを組み合わせて利用するタイプの入力手段を備える電子機器において、ユーザによる入力操作における利便性をさらに高めた入力手段を提供する。【解決手段】差し替え可能な入力シートと、ユーザからの入力を受け付ける入力位置検出手段とを組み合わせて利用するタイプの入力手段と、入力手段によって受け付けられたユーザからの入力に基づく信号を、対象となる電子機器に送信する送信手段とを備える。【選択図】図５
2013228929.tif 000002
【特許請求の範囲】
【請求項１】
差し替え可能な入力シートと、ユーザからの入力を受け付ける入力位置検出手段と、を組み合わせた入力手段と、
前記入力手段によって受け付けられたユーザからの入力に基づく信号を、信号の入力対象となる電子機器に送信する送信手段と、
を備える入力装置。
【請求項２】
差し替え可能な入力シートと、ユーザからの入力を受け付ける入力位置検出手段と、を組み合わせた入力手段と、
前記入力手段によって受け付けられたユーザからの入力に基づく信号を、信号の入力対象となる電子機器に送信する送信手段と、
を備える入力装置と、
前記入力装置から送信された信号を受信する受信手段を有し、前記入力装置から離間して配置された受信装置と、
を備え、
前記受信装置は、さらに、前記受信手段が前記入力装置から送信された信号を受信すると、当該受信した信号に基づく処理を行う処理手段を有する
送受信システム。
【請求項３】
入力装置と、前記入力装置から離間して配置された、電子機器と、を備える電子機器システムであって、
前記入力装置は、
差し替え可能な入力シートと、ユーザからの入力を受け付ける入力位置検出手段と、を組み合わせた入力手段と、
前記入力手段によって受け付けられたユーザからの入力に基づく信号を、送信する送信手段と、
を備え、
前記電子機器は、
前記入力装置から送信された信号を受信する受信手段と、
前記受信した信号に基づき処理を決定する処理手段と、を有し、
前記決定された処理に従い動作する、
電子機器システム。
【請求項４】
ユーザからの入力を受け付ける入力受付面を有し、当該入力受付面における、受け付けた入力の位置を検出する入力位置検出手段と、
前記入力位置検出手段に入力シートが重ねられると、当該入力シートを識別する識別手段と、
前記入力位置検出手段によって検出された入力の位置と、前記識別手段によって識別された入力シートに基づく信号を出力する信号出力手段と、
前記信号出力手段によって出力された信号を、信号の入力対象となる電子機器に送信する送信手段と、
を備える入力装置。
【請求項５】
前記識別手段は、
入力シートから、当該入力シートを特定するためのシート特定情報を読み取る読取手段を有し、
前記識別を、当該読取手段によって読み取られたシート特定情報に基づいて行う
請求項４記載の入力装置。
【請求項６】
前記識別手段によって前記識別がなされた場合に、前記識別手段によって識別された入力シートに基づいて、前記送信手段の送信対象となる電子機器を特定する機器特定手段を備える
請求項５記載の入力装置。
【請求項７】
前記入力シートは、新聞紙におけるテレビ欄の少なくとも一部分と、当該新聞紙を発行した新聞社名に係る新聞社名情報と当該新聞紙の発行日に係る日時情報とを含むコンテンツが印刷されている、当該新聞紙の一部分とを含み、
前記読取手段は、前記読み取りを、前記入力受付面の背後に装着された入力シートに含まれる前記印刷されたコンテンツから、前記シート特定情報として、新聞社名情報と日時情報とを読み取ることで行い、
前記信号出力手段は、前記入力受付面の背後に装着された入力シートに少なくとも一部分が含まれる新聞紙におけるテレビ欄に掲載されている番組を特定するための番組特定情報が含まれるように、前記信号の出力を行う
ことを特徴とする請求項６記載の入力装置。
【請求項８】
前記入力シートは、複数の文字が印刷され、
前記信号出力手段は、前記入力受付面の背後に装着された入力シートに印刷された複数の文字のうちのいずれか１つを特定するための文字特定情報が含まれるように、前記信号の出力を行う
ことを特徴とする請求項６記載の入力装置。
【請求項９】
前記入力シートは、電気調理器を利用した調理に係る複数の調理情報を含むコンテンツが印刷され、
前記信号出力手段は、前記入力受付面の背後に装着された入力シートに印刷されたコンテンツに含まれる複数の調理情報のうちのいずれか１つを特定するための調理方法特定情報が含まれるように、前記信号の出力を行う
ことを特徴とする請求項６記載の入力装置。
【請求項１０】
前記入力シートは、アンケートを含むコンテンツが印刷され、
前記信号出力手段は、前記入力受付面の背後に装着された入力シートに印刷されたコンテンツに含まれるアンケートに対する回答に係る回答情報が含まれるように、前記信号の出力を行う
ことを特徴とする請求項６記載の入力装置。
【請求項１１】
前記入力シートは、テレビ番組に係る複数の番組情報を含むコンテンツが印刷され、
前記入力受付面の背後に装着された入力シートに印刷されたコンテンツに含まれる複数の番組のうちのいずれか１つを特定するための番組特定情報が含まれるように、前記信号の出力を行う
ことを特徴とする請求項６記載の入力装置。
【請求項１２】
前記入力受付面の背後に入力シートが正しく装着されていることを検知する装着検知手段を備え、
前記信号出力手段は、前記装着検知手段によって、前記入力受付面の背後に入力シートが正しく装着されていることが検知される場合に限って、前記信号の出力を行う
ことを特徴とする請求項４記載の入力装置。
【請求項１３】
請求項１、３乃至１２のいずれかに記載の入力装置と、
前記入力装置から送信された信号を受信する受信手段を有する、前記入力装置から離間された受信装置とを備え、
前記受信装置は、さらに、前記受信手段が前記入力装置から送信された信号を受信すると、当該受信した信号に基づく処理を行う処理手段を有する
ことを特徴とする送受信システム。
【発明の詳細な説明】
【技術分野】
【０００１】
本発明は、ユーザからの入力を受け付けるタッチパッド、タッチパネル等の、いわゆる入力位置検出手段を備える入力装置に関する。
【背景技術】
【０００２】
従来、ユーザからの入力を受け付ける入力位置検出手段を備える電子機器が知られている。
入力位置検出手段を備える電子機器の一例として、例えば、特許文献１に記載される電話機がある。この電話機は、入力位置検出手段の一つである、透明なタッチパネルの裏面に、図柄が表示された差し替え可能なカードを挿入し、透けて見えるカードの図柄をタッチパネルを介して指で触れると、その特定の図柄に対応する電話番号の電話機への呼び出しを開始するというものである。
【先行技術文献】
【特許文献】
【０００３】
【特許文献１】特開平５−１４５６１６号公報
【発明の概要】
【発明が解決しようとする課題】
【０００４】
差し替え可能なシートと入力位置検出手段とを組み合わせて利用するタイプの入力手段を備える電子機器においては、ユーザによる入力操作における利便性をさらに高めることが要望されている。
本発明は、上記状況に鑑みなされたもので、利便性がさらに高い電子機器への入力手段を提供することを目的とする。
【課題を解決するための手段】
【０００５】
上記課題を解決するために本発明の一態様に係る入力装置は、差し替え可能な入力シートと、ユーザからの入力を受け付ける入力位置検出手段と、を組み合わせた入力手段と、
前記入力手段によって受け付けられたユーザからの入力に基づく信号を信号の入力対象となる電子機器に送信する送信手段と、を備える。
【発明の効果】
【０００６】
上述の構成を備える本発明の一態様に係る入力装置によると、差し替え可能な入力シートを使用した入力手段によってユーザから受け付けた入力に基づく信号を、入力対象となる電子機器に送信することができる。このことにより、利便性が高い電子機器への入力手段を提供することができる。
【図面の簡単な説明】
【０００７】
【図１】本発明の一実施の形態である実施の形態１に係る入力装置１００の斜視図である。
【図２】本発明の一実施の形態である実施の形態１に係る入力シート２００の正面図である。
【図３】本発明の一実施の形態である実施の形態１に係る入力装置１００の断面図である。
【図４】本発明の一実施の形態である実施の形態１に係る入力装置１００の回路構成図である。
【図５】本発明の一実施の形態である実施の形態１に係る入力装置１００の機能ブロック図である。
【図６】本発明の一実施の形態である実施の形態１に係る対応情報テーブル６００の構成図である。
【図７】本発明の一実施の形態である実施の形態１に係る家電操作システム７００の概略構成図である。
【図８】本発明の一実施の形態である実施の形態１に係る入力シートＡ２００Ａの正面図である。
【図９】本発明の一実施の形態である実施の形態１に係る入力シートＢ２００Ｂの正面図である。
【図１０】本発明の一実施の形態である実施の形態１に係るテレビ７３０の画面に表示される映像の一例を模式的に示す模式図である。
【図１１】本発明の一実施の形態である実施の形態１に係る入力シートＣ２００Ｃの正面図である。
【図１２】本発明の一実施の形態である実施の形態１に係る入力シートＤ２００Ｄの正面図である。
【図１３】本発明の一実施の形態である実施の形態１に係る入力信号送信処理のフローチャートである。
【図１４】本発明の一実施の形態である実施の形態２に係る入力装置１４００の斜視図である。
【図１５】本発明の一実施の形態である実施の形態２に係る入力装置１４００の断面図である。
【図１６】本発明の一実施の形態である実施の形態２に係る新聞紙テレビ欄紙面１６００の概略構成図である。
【図１７】本発明の一実施の形態である実施の形態２に係る入力装置１４００の回路構成図である。
【図１８】本発明の一実施の形態である実施の形態２に係る入力装置１４００の機能ブロック図である。
【図１９】本発明の一実施の形態である実施の形態２に係る番組情報テーブル１９００の構成図である。
【図２０】本発明の一実施の形態である実施の形態２に係るレコーダ操作システム２０００の概略構成図である。
【図２１】本発明の一実施の形態である実施の形態２に係る番組録画予約処理のフローチャートである。
【図２２】本発明の一実施の形態である変形例に係る入力装置２２００の斜視図である。
【図２３】本発明の一実施の形態である変形例に係る入力装置２３００の斜視図である。
【発明を実施するための形態】
【０００８】
＜本発明の態様に係る実施形態を想到するに至った経緯＞
特許文献１に記載のような、ユーザからの入力を受け付ける、入力位置検出手段であるタッチパネルと図柄との組み合わせを利用する入力手段は、その操作方法が容易にユーザに理解されやすいため、利便性が高い。
しかしながら、発明者は、上記入力手段を備えた電子機器に信号を入力する場合に、その電子機器の設置場所まで移動しないと、その電子機器に信号を入力することができないという点を不便に感じていた。
【０００９】
一方で、外部機器との通信機能を有する電子機器の普及が見込まれている。
そこで、本願発明者は、この不便な点を克服すべく、差し替え可能な入力シートと、ユーザからの入力を受け付ける入力位置検出手段とを組み合わせて利用するタイプの入力手段と、この入力手段によって受け付けられたユーザからの入力に基づく信号を、信号の入力対象となる電子機器に送信する送信手段とを備える入力装置を想到するに至った。
＜各態様の概要＞
（ａ）本発明の一態様に係る入力装置は、差し替え可能な入力シートと、ユーザからの入力を受け付ける入力位置検出手段と、を組み合わせた入力手段と、前記入力手段によって受け付けられたユーザからの入力に基づく信号を、信号の入力対象となる電子機器に送信する送信手段と、を備えることを特徴とする。
【００１０】
上記構成を備える本態様に係る入力装置によると、差し替え可能な入力シートと、入力手段を介して受け付けたユーザからの入力とに基づく信号を、外部の電子機器に送信することができる。このことにより、利便性が高い、電子機器への入力手段を提供することができる。
（ｂ）本発明の一態様に係る送受信システムは、差し替え可能な入力シートと、ユーザからの入力を受け付ける入力位置検出手段と、を組み合わせた入力手段と、前記入力手段によって受け付けられたユーザからの入力に基づく信号を、信号の入力対象となる電子機器に送信する送信手段と、を備える入力装置と、前記入力装置から送信された信号を受信する受信手段を有し、前記入力装置から離間して配置された受信装置と、を備え、前記受信装置は、さらに、前記受信手段が前記入力装置から送信された信号を受信すると、当該受信した信号に基づく処理を行う処理手段を有することを特徴とする。
【００１１】
上記構成を備える本態様に係る送受信システムによると、差し替え可能な入力シートと、入力手段を介して受け付けたユーザからの入力とに基づく信号を、離れた場所に配置された受信装置に送信して、その受信装置にその信号に基づく処理を行わせることができる。
（ｃ）本発明の一態様に係る電子機器システムは、入力装置と、前記入力装置から離間して配置された、電子機器と、を備える電子機器システムであって、前記入力装置は、差し替え可能な入力シートと、ユーザからの入力を受け付ける入力位置検出手段と、を組み合わせた入力手段と、前記入力手段によって受け付けられたユーザからの入力に基づく信号を、送信する送信手段と、を備え、前記電子機器は、前記入力装置から送信された信号を受信する受信手段と、前記受信した信号に基づき処理を決定する処理手段と、を有し、前記決定された処理に従い動作する、ことを特徴とする。
【００１２】
上記構成を備える本態様に係る電子機器システムによると、差し替え可能な入力シートと、入力手段を介して受け付けたユーザからの入力とに基づく信号を、離れた場所に配置された電子機器に送信して、その電子機器にその信号に基づく処理を行わせることができる。
（ｄ）本発明の一態様に係る入力装置は、ユーザからの入力を受け付ける入力受付面を有し、当該入力受付面における、受け付けた入力の位置を検出する入力位置検出手段と、前記入力位置検出手段に入力シートが重ねられると、当該入力シートを識別する識別手段と、前記入力位置検出手段によって検出された入力の位置と、前記識別手段によって識別された入力シートに基づく信号を出力する信号出力手段と、前記信号出力手段によって出力された信号を、信号の入力対象となる電子機器に送信する送信手段と、を備えることを特徴とする。
【００１３】
上述の構成を備える本態様に係る入力装置によると、重ねられた入力シートと、入力位置検出手段を介してユーザから受け付けた入力とに基づく信号を、外部の電子機器に送信することができる。このことにより、利便性が高い、電子機器への入力手段を提供することができる。
（ｅ）また、前記識別手段は、入力シートから、当該入力シートを特定するためのシート特定情報を読み取る読取手段を有し、前記識別を、当該読取手段によって読み取られたシート特定情報に基づいて行うとしてもよい。
【００１４】
このような構成にすることによって、入力シートを利用して、その入力シートを特定することができるようになる。
（ｆ）また、前記識別手段によって前記識別がなされた場合に、前記識別手段によって識別された入力シートに基づいて、前記送信手段の送信対象となる電子機器を特定する機器特定手段を備えるとしてもよい。
【００１５】
このような構成にすることによって、入力シートを利用して、そのシートに対応する外部機器を送信先として、信号を送信することができるようになる。
（ｇ）また、前記入力シートは、新聞紙におけるテレビ欄の少なくとも一部分と、当該新聞紙を発行した新聞社名に係る新聞社名情報と当該新聞紙の発行日に係る日時情報とを含むコンテンツが印刷されている、当該新聞紙の一部分とを含み、前記読取手段は、前記読み取りを、前記入力受付面の背後に装着された入力シートに含まれる前記印刷されたコンテンツから、前記シート特定情報として、新聞社名情報と日時情報とを読み取ることで行い、前記信号出力手段は、前記入力受付面の背後に装着された入力シートに少なくとも一部分が含まれる新聞紙におけるテレビ欄に掲載されている番組を特定するための番組特定情報が含まれるように、前記信号の出力を行うとしてもよい。
【００１６】
このような構成にすることによって、送信する信号に、新聞紙のテレビ欄に掲載されている番組を特定する情報を含ませることができるようになる。
（ｈ）また、前記入力シートは、複数の文字が印刷され、前記信号出力手段は、前記入力受付面の背後に装着された入力シートに印刷された複数の文字のうちのいずれか１つを特定するための文字特定情報が含まれるように、前記信号の出力を行うとしてもよい。
【００１７】
このような構成にすることによって、送信する信号に、入力受付面の背後に装着された入力シートに印刷された文字を特定する情報を含ませることができるようになる。
（ｉ）また前記入力シートは、電気調理器を利用した調理に係る複数の調理情報を含むコンテンツが印刷され、前記信号出力手段は、前記入力受付面の背後に装着された入力シートに印刷されたコンテンツに含まれる複数の調理情報のうちのいずれか１つを特定するための調理方法特定情報が含まれるように、前記信号の出力を行うとしてもよい。
【００１８】
このような構成にすることによって、送信する信号に、入力受付面の背後に装着された入力シートに印刷されたコンテンツに含まれる調理情報を特定する情報含ませることができるようになる。
（ｊ）また、前記入力シートは、アンケートを含むコンテンツが印刷され、前記信号出力手段は、前記入力受付面の背後に装着された入力シートに印刷されたコンテンツに含まれるアンケートに対する回答に係る回答情報が含まれるように、前記信号の出力を行うとしてもよい。
【００１９】
このような構成にすることによって、送信する信号に、入力受付面の背後に装着された入力シートに印刷されたコンテンツに含まれるアンケートに対する回答に係る回答情報を含ませることができるようになる。
（ｋ）また、前記入力シートは、テレビ番組に係る複数の番組情報を含むコンテンツが印刷され、前記入力受付面の背後に装着された入力シートに印刷されたコンテンツに含まれる複数の番組のうちのいずれか１つを特定するための番組特定情報が含まれるように、前記信号の出力を行うとしてもよい。
【００２０】
このような構成にすることによって、送信する信号に、入力受付面の背後に装着された入力シートに印刷されたコンテンツに含まれる番組情報を特定する情報を含ませることができるようになる。
（ｌ）また、前記入力受付面の背後に入力シートが正しく装着されていることを検知する装着検知手段を備え、前記信号出力手段は、前記装着検知手段によって、前記入力受付面の背後に入力シートが正しく装着されていることが検知される場合に限って、前記信号の出力を行うとしてもよい。
【００２１】
このような構成にすることによって、入力受付面の背後に入力シートが正しく装着されていない場合には、外部機器に送信する信号の生成を抑制することができるようになる。
（ｍ）本発明の一態様に係る入力システムは、前記入力装置と、前記入力装置から送信された信号を受信する受信手段を有する、前記入力装置から離間された受信装置とを備え、前記受信装置は、さらに、前記受信手段が前記入力装置から送信された信号を受信すると、当該受信した信号に基づく処理を行う処理手段を有するとしてもよい。
【００２２】
このような構成にすることによって、入力装置から離間された受信装置に、入力装置から送信された信号に基づく処理を行わせることができる。
＜実施の形態１＞
＜概要＞
以下、本発明の態様に係る入力装置の一実施形態として、電子機器が利用する信号を生成し、生成した信号を、その信号を利用する電子機器に送信する入力装置１００について説明する。
【００２３】
この入力装置１００は、透明な操作面を有するタッチパッド１１０を備える。入力装置１００を利用するユーザは、タッチパッド１１０の背後に差し替え可能な入力シートをセットして、セットした入力カードの図柄を視認しながらタッチパッド１１０の操作面を押下操作する。すると、入力装置１００は、その入力シートの図柄に対応する信号を生成して、生成した信号を、その入力シートに対応する電子機器に送信する。
【００２４】
以下、本実施の形態１に係る入力装置１００について、図面を参照しながら説明する。
＜ハードウエア構成＞
図１は、入力装置１００の斜視図である。
同図に示されるように、入力装置１００は、略直方体の形状をした筐体を有し、その筐体の主表面に、透明なタッチパッド１１０と電源スイッチ１３０とスピーカ孔１４０とを備え、その筐体の上面に、入力シート（後述）を筐体内部に挿入するための入力シート挿入口１２０を備える。
【００２５】
この入力装置１００は、タッチパッド１１０が光透過性になっているため、入力シート挿入口１２０から筐体内部に挿入された入力シートの一部が、入力装置１００の外部から視認されるようになっている。
図２は、入力装置１００に挿入される入力シート２００の正面図である。
同図に示されるように、入力シート２００は、切り欠き部２１０を有する５角形の、例えば紙製シートである。
【００２６】
入力シート２００の主表面には、自シートを識別するための入力シートＩＤを示す情報を含むバーコードが印刷されたバーコード印刷領域２２０と、入力装置１００の筐体に挿入された状態で、入力装置１００の外部から視認されるタッチパッド透過領域２３０とを有する。
図３は、図１中に記されたＡ点とＢ点とを結ぶ線分を含む断面における、入力装置１００の断面図である。
【００２７】
同図に示されるように、入力装置１００は、この断面上に、タッチパッド１１０とバーコードリーダ３１０と入力シート挿入口１２０と挿入ガイド３２０と入力シート検知センサ３２１と基板３３０と電池３６０とアンテナ構体３４０とスピーカ３５０とを備える。
挿入ガイド３２０は、入力シート挿入口１２０から挿入された入力シート２００を筐体内部に装着するための空間であって、最深部に入力シート検知センサ３２１が配置されている。
【００２８】
基板３３０は、電子部品を装着するための回路基板であって、その主表面に、メモリ３３１とタッチパッドコントローラ３３２とＣＰＵ（Central Processing Unit）３３３と通信用ＬＳＩ（Large Scale Integration）３３４とが装着されている。
アンテナ構体３４０は、その表面に、外部の機器と通信するためのアンテナ３４１（図３中には図示されず。後述。）を装着するための構造体であって、例えば、プラスチック製である。
【００２９】
図４は、入力装置１００を構成する主要な回路の構成を示す回路構成図である。
同図に示されるように、入力装置１００は、タッチパッド１１０とタッチパッドコントローラ３３２とバーコードリーダ３１０とメモリ３３１とＣＰＵ３３３と通信用ＬＳＩ３３４とアンテナ３４１とスピーカ３５０と入力シート検知センサ３２１と電池３６０とから構成される。
【００３０】
タッチパッド１１０は、タッチパッドコントローラ３３２に接続され、タッチパッドコントローラ３３２によって制御され、ユーザによる押下操作を受け付ける操作面を有し、操作面においてユーザの押下操作がなされると、その押下操作がなされた位置を示す電気信号（以下、「押下位置信号」と呼ぶ。）を生成してタッチパッドコントローラ３３２に送る機能を有する。
【００３１】
このタッチパッド１１０は、例えば、透明電極（例えば、ＩＴＯ（Indium Tin Oxide：酸化インジウムスズ）製）を備える、例えば、抵抗膜方式の透明なタッチパッドであって、図３に示されるように、入力装置１００の主表面と挿入ガイド３２０との間に、その操作面が入力装置１００の主表面側となるように配置される。
タッチパッドコントローラ３３２は、タッチパッド１１０とＣＰＵ３３３とに接続され、ＣＰＵ３３３によって制御され、タッチパッド１１０を制御する機能と、タッチパッド１１０から送られて来た押下位置信号を受け取ると、受け取った押下位置信号をＣＰＵ３３３に送る機能とを有する。
【００３２】
バーコードリーダ３１０は、ＣＰＵ３３３に接続され、ＣＰＵ３３３によって制御され、入力シート２００のバーコード印刷領域に印刷されたバーコードから情報を読み取り、読み取った情報を示す電気信号（以下、「読取信号」と呼ぶ。）を生成してＣＰＵ３３３に送る機能を有する。
このバーコードリーダ３１０は、図３に示されるように、入力装置１００の主表面と挿入ガイド３２０との間のうちの入力シート挿入口１２０近傍部分に、バーコードから情報を読み取る読取面が挿入ガイド３２０側となるように配置される。そして、バーコードリーダ３１０の読取面は、入力シート２００が挿入ガイド３２０の最深部まで挿入された装着状態である場合に、その入力シート２００のバーコード印刷領域２２０に対向することとなる。
【００３３】
アンテナ３４１は、通信用ＬＳＩ３３４に接続された、例えば、金属製（例えば、ステンレス製）薄膜からなるモノポールアンテナであって、アンテナ構体３４０（図３参照）の表面に装着される。
通信用ＬＳＩ３３４は、アンテナ３４１とＣＰＵ３３３とに接続され、ＣＰＵ３３３によって制御され、以下の４つの機能を有する。
【００３４】
受信機能：アンテナ３４１を利用して、例えば、ＩＥＥＥ（the Institute of Electrical and Electronics Engineers）８０２．１１規格の無線ＬＡＮ（Local Area Network）システムで利用される所定の信号を受信する機能。
復調機能：受信した受信信号を復調してＣＰＵ３３３に送る機能。
変調機能：ＣＰＵ３３３から送られて来た送信信号を、例えば、ＩＥＥＥ８０２．１１規格の無線ＬＡＮシステムで利用される所定の信号に変調する機能。
【００３５】
送信機能：アンテナ３４１を利用して、変調した信号を外部に送信する機能。
メモリ３３１は、ＣＰＵ３３３に接続され、ＣＰＵ３３３の動作を規定するプログラムと、ＣＰＵ３３３が利用するデータとを記憶する。
このメモリ３３１は、例えば、ＲＯＭ（Read Only Memory）とＲＡＭ（Random Access Memory）とフラッシュメモリとから構成される。
【００３６】
スピーカ３５０は、ＣＰＵ３３３に接続され、ＣＰＵ３３３によって制御され、ＣＰＵ３３３から音声信号が送られてくると、送られて来た音声信号を音声に変換して出力する機能を有する。スピーカ３５０から出力された音声は、スピーカ孔１４０（図１参照）を通して、入力装置１００の外部に伝搬する。
入力シート検知センサ３２１は、ＣＰＵ３３３に接続され、ＣＰＵ３３３によって制御され、入力シート２００が挿入ガイド３２０の最深部まで挿入されていることを検知する機能と、入力シート２００が挿入ガイド３２０の最深部まで挿入されていることを検知した場合に、入力シート２００の挿入を検知した旨を示す信号を生成してＣＰＵ３３３に送る機能とを有する。
【００３７】
この入力シート検知センサ３２１は、例えば、赤外線を利用して対象物までの距離を測定する機能を有する赤外線センサ等を含んで構成される。
電池３６０は、入力装置１００を構成する電子部品に電力を供給する直流電源である。
ＣＰＵ３３３は、タッチパッドコントローラ３３２とバーコードリーダ３１０と通信用ＬＳＩ３３４とメモリ３３１とスピーカ３５０と入力シート検知センサ３２１とに接続され、メモリ３３１に記憶されているプログラムを実行することで、タッチパッドコントローラ３３２とバーコードリーダ３１０と通信用ＬＳＩ３３４と入力シート検知センサ３２１とスピーカ３５０とを制御する機能を実現する。また、これらの電子部品を制御することで、入力装置１００に、以下の入力信号送信機能を実現させる機能を有する。
【００３８】
入力信号送信機能：入力シート２００が筐体内部に挿入された場合において、タッチパッド１１０の操作面においてユーザの押下操作がなされると、挿入された入力シート２００の種別と、タッチパッド１１０の操作面における押下操作がなされた位置とに基づく信号を生成して、生成した信号を外部機器に送信する機能。
この入力信号送信機能は、ＣＰＵ３３３がプログラムを実行することで、入力装置１００に後述の入力信号送信処理を実行させることで実現される。なお、この入力信号送信処理については、後程＜入力信号送信処理＞の項目において、フローチャートを用いて詳細に説明する。
【００３９】
上記ハードウエア構成を備える入力装置１００について、以下、機能面から見た機能構成について図面を参照しながら説明する。
＜機能構成＞
図５は、入力装置１００によって実現される機能を構成する主要な機能ブロックを示す機能ブロック図である。
【００４０】
同図に示されるように、入力装置１００は、入力シート検知部５１０と入力シート識別部５２０と入力操作受付部５３０と送信信号生成部５４０と対応情報記憶部５５０と通信部５６０と対応情報更新部５７０とから構成される。
入力シート検知部５１０は、ＣＰＵ３３３が入力シート検知センサ３２１を制御することで実現され、入力シート識別部５２０と入力操作受付部５３０とに接続され、入力シート２００が挿入ガイド３２０の最深部まで挿入されていることを検知する機能と、入力シート２００が挿入ガイド３２０の最深部まで挿入されていることを検知した場合に、入力シート２００の挿入を検知した旨の信号を、入力シート識別部５２０と入力操作受付部５３０とに送る機能を有する。
【００４１】
入力シート識別部５２０は、ＣＰＵ３３３がバーコードリーダ３１０とスピーカ３５０とを制御することで実現され、入力シート検知部５１０と送信信号生成部５４０とに接続され、以下の２つの機能を有する。
読取機能：入力シート検知部５１０から入力シート２００の挿入を検知した旨の信号を受け取らない状態から、入力シート検知部５１０から入力シート２００の挿入を検知した旨の信号を受け取る状態へと変化した場合に、挿入された入力シート２００のバーコード印刷領域２２０に印刷されたバーコードからその入力シート２００を識別する入力シートＩＤを読み取り、読み取った入力シートＩＤを示す読取信号を、送信信号生成部５４０に送る機能。
【００４２】
発音機能：挿入された入力シート２００のバーコード印刷領域２２０に印刷されたバーコードからその入力シート２００を識別する入力シートＩＤを読み取る試みを行った場合において、その読み取りに失敗したときに、スピーカ３５０から警告音を発する機能。
入力操作受付部５３０は、ＣＰＵ３３３が、タッチパッド１１０を制御するタッチパッドコントローラ３３２を制御することで実現され、入力シート検知部５１０と送信信号生成部５４０とに接続され、入力シート検知部５１０から入力シート２００の挿入を検知した旨の信号を受け取っている期間中において、タッチパッド１１０の操作面への押下操作がなされた場合に、その押下操作がなされた位置を示す押下位置信号を、送信信号生成部５４０へ送信する機能を有する。
【００４３】
対応情報記憶部５５０は、メモリ３３１が有する記憶領域の一部によって実現され、送信信号生成部５４０と対応情報更新部５７０とに接続され、対応情報テーブルを記憶する機能を有する。
図６は、対応情報記憶部５５０が記憶する対応情報テーブルの一例である対応情報テーブル６００の構成を示す構成図である。
【００４４】
同図に示されるように、対応情報テーブル６００は、入力シートＩＤ６１０と座標６２０と送信対象機器６３０と送信対象情報６４０と情報種６５０とが対応付けられて構成されている。
入力シートＩＤ６１０は、入力装置１００に挿入される入力シート２００を識別する識別子である。
【００４５】
座標６２０は、対応する入力シートＩＤ６１０によって識別される入力シート２００が入力装置１００に挿入されている場合において、その入力シート２００の表面に印刷された図柄のうちの１つに対する、タッチパッド１１０の操作面における、その図柄を含む長方形の領域の位置を示す情報であって、該当する図柄を含む長方形の領域の左上の位置を示す第１座標情報と、該当する図柄を含む長方形の領域の右下の位置を示す第２座標情報との組からなる。これら第１座標情報と第２座標情報とは、それぞれタッチパッド１１０の操作面における左上隅を原点とする直交座標系における座標を示す情報となっている。
【００４６】
なお、入力シートＩＤ６１０によって識別される入力シート２００に複数の図柄が印刷されている場合には、その入力シートＩＤ６１０には、それら複数の図柄それぞれについての座標６２０が対応付けられることとなる。
送信対象機器６３０は、対応する入力シートＩＤ６１０によって識別される入力シート２００が入力装置１００に挿入されている場合における、入力装置１００の送信対象となる外部機器を特定する情報である。
【００４７】
送信対象情報６４０は、対応する入力シートＩＤ６１０によって識別される入力シート２００が入力装置１００に挿入されている場合において、タッチパッド１１０の操作面における、対応する座標６２０によって示される長方形の領域の位置が押下操作されるときに、対応する送信対象機器６３０によって特定される外部機器に送信することとなる情報である。
【００４８】
情報種６５０は、対応する送信対象情報６４０が、対応する送信対象機器６３０を操作するためのコマンドと、対応する送信対象機器６３０に利用されるためのデータとのいずれであるかを示す情報である。
再び図５に戻って、入力装置１００の機能構成についての説明を続ける。
送信信号生成部５４０は、ＣＰＵ３３３によって実現され、入力シート識別部５２０と入力操作受付部５３０と対応情報記憶部５５０と通信部５６０とに接続され、以下の２つの機能を有する。
【００４９】
読出機能：入力シート識別部５２０から読取信号が送られてきた場合において、入力操作受付部５３０から押下位置信号が送られて来たときに、対応情報記憶部５５０に記憶されている対応情報テーブルから、送られて来た読取信号によって示される入力シートＩＤに一致する入力シートＩＤ６１０と、送られて来た押下位置信号によって示される押下操作がなされた位置を含む座標６２０との双方に対応付けられている、送信対象機器６３０と送信対象情報６４０とを読み出す機能。
【００５０】
送信信号生成機能：読み出した送信対象機器６３０と読み出した送信対象情報６４０とから、読み出した送信対象機器６３０を送信先とする、読み出した送信対象情報６４０を含む送信信号を生成して、通信部５６０に送る機能。
通信部５６０は、ＣＰＵ３３３が通信用ＬＳＩ３３４を制御することによって実現され、送信信号生成部５４０と、対応情報更新部５７０とに接続され、以下の２つの機能を有する。
【００５１】
変調送信機能：送信信号生成部５４０から送られて来た送信信号を、例えば、ＩＥＥＥ８０２．１１規格の無線ＬＡＮシステムで利用される所定の信号に変調して外部の機器に送信する機能。
受信復調機能：外部の機器から送信された、例えば、ＩＥＥＥ８０２．１１規格の無線ＬＡＮシステムで利用される所定の信号を受信して復調し、復調した受信信号を対応情報更新部５７０へ送る機能。
【００５２】
対応情報更新部５７０は、ＣＰＵ３３３によって実現され、通信部５６０と対応情報記憶部５５０とに接続され、通信部５６０から送られて来た、復調された受信信号に、新たな対応テーブルが含まれていた場合に、対応情報記憶部５５０に記憶されている対応情報テーブルをその新たな対応情報テーブルに更新する機能を有する。
以下、上記構成を備える入力装置１００を利用するシステムの一例である、家電操作システム７００について説明する
＜家電操作システム＞
家電操作システム７００は、入力装置１００を用いて、家庭内に設置された家電製品を操作するシステムである。
【００５３】
図７は、家電操作システム７００の構成を示す概略構成図である。
家電操作システム７００は、入力装置１００と家庭内無線ネットワークサーバ７１０とレコーダ７２０とテレビ７３０とオーブンレンジ７４０とパソコン７５０とプリンタ７６０と接続ケーブル７７０と光ケーブル７８０とから構成される。
家庭内無線ネットワークサーバ７１０は、光ケーブル７８０に接続され、光ケーブル７８０を介して、外部のインターネット環境に接続される外部サーバと通信する機能と、例えば、ＩＥＥＥ８０２．１１規格の無線ＬＡＮシステムで利用される所定の信号を利用して、入力装置１００とレコーダ７２０とテレビ７３０とオーブンレンジ７４０とパソコン７５０とプリンタ７６０と通信する機能とを有するサーバであって、さらに、以下の７つの機能を有する。
【００５４】
レコーダ操作コマンド送信機能：入力装置１００から、送信先がレコーダとなる信号を受信した場合に、その信号をレコーダ７２０に送信する機能。
テレビ操作コマンド送信機能：入力装置１００から、送信先がテレビとなる信号を受信した場合に、その信号をテレビ７３０に送信する機能。
オーブンレンジ操作コマンド送信機能：入力装置１００から、送信先がオーブンレンジとなる信号を受信した場合に、その信号をオーブンレンジ７４０へ送信する機能。
【００５５】
パソコン利用データ送信機能：入力装置１００から、送信先がパソコンとなる信号を受信した場合に、その信号をパソコン７５０に送信する機能。
外部サーバ通信機能：予め定められた時刻（例えば、午前４時）に、インターネットを介して外部サーバと通信し、外部サーバから、新たな番組表データと入力シートＩＤとの組と、新たな対応情報テーブルとを受信する機能。
【００５６】
プリンタ出力データ送信機能：インターネットを介して、外部サーバから新たな番組表データと入力シートＩＤとの組を取得した場合に、取得した新たな番組表データと、取得した入力シートＩＤと、番組表と入力シートＩＤとが印刷された入力シートＡ２００Ａ（後述）を印刷するためのコマンドとを、プリンタ７６０に送信する機能。
対応情報テーブル送信機能：インターネットを介して、外部サーバから新たな対応情報テーブルを取得した場合に、取得した対応情報テーブルを、入力装置１００に送信する機能。
【００５７】
レコーダ７２０は、接続ケーブル７７０に接続されるブルーレイレコーダであって、一般的なブルーレイレコーダが有する録画再生機能に加えて、以下の２つの機能を有する。
通信機能：例えば、ＩＥＥＥ８０２．１１規格の無線ＬＡＮシステムで利用される所定の信号を利用して、家庭内無線ネットワークサーバ７１０と通信する機能。
コマンド実行機能：家庭内無線ネットワークサーバ７１０から送信された、レコーダを操作するコマンド含む信号を受信すると、そのコマンドを実行する機能。
【００５８】
テレビ７３０は、接続ケーブル７７０に接続され、一般的なテレビが有する映像表示機能に加えて、以下の２つの機能を有する。
通信機能：例えば、ＩＥＥＥ８０２．１１規格の無線ＬＡＮシステムで利用される所定の信号を利用して、家庭内無線ネットワークサーバ７１０と通信する機能。
コマンド実行機能：家庭内無線ネットワークサーバ７１０から送信された、テレビを操作するコマンドを含む信号を受信すると、そのコマンドを実行する機能。
【００５９】
オーブンレンジ７４０は、一般的なオーブンレンジが有する加熱調理機能に加えて、以下の２つの機能を有する。
通信機能：例えば、ＩＥＥＥ８０２．１１規格の無線ＬＡＮシステムで利用される所定の信号を利用して、家庭内無線ネットワークサーバ７１０と通信する機能。
コマンド実行機能：家庭内無線ネットワークサーバ７１０から送信された、オーブンレンジを操作するコマンドを含む信号を受信すると、そのコマンドを実行する機能。
【００６０】
パソコン７５０は、一般的なパソコンが有する情報処理機能に加えて、以下の２つの機能を有する。
通信機能：例えば、ＩＥＥＥ８０２．１１規格の無線ＬＡＮシステムで利用される所定の信号を利用して、家庭内無線ネットワークサーバ７１０と通信する機能。
コマンド実行機能：アンケートを集計するアンケート集計プログラムの実行中に、家庭内無線ネットワークサーバ７１０から送信された、パソコンが利用するデータを含む信号を受信すると、そのデータを利用して行う所定のアンケート集計処理を実行する機能。
【００６１】
プリンタ７６０は、一般的なプリンタが有する印刷機能に加えて、以下の２つの機能を有する。
通信機能：例えば、ＩＥＥＥ８０２．１１規格の無線ＬＡＮシステムで利用される所定の信号を利用して、家庭内無線ネットワークサーバ７１０と通信する機能。
入力シート印刷機能：切り欠き部２１０を有する所定の５角形の白色の用紙がセットされた状態で、家庭内無線ネットワークサーバ７１０から送信された、番組表データと、入力シートＩＤと、番組表と入力シートＩＤを含むバーコードとが印刷された入力シート２００を印刷するためのコマンドとを受信すると、そのコマンドを実行することで、番組表と入力シートＩＤが含まれるバーコードとが印刷された入力シート２００を印刷する機能。
【００６２】
上記構成を備える家電操作システム７００では、複数の入力シート２００と、それら複数の入力シート２００に対応する対応情報テーブル６００とが利用される。
以下、家電操作システム７００で利用される入力シート２００について、図面を用いて説明する。
図８は、入力装置１００を、レコーダ７２０を操作する入力手段として利用するために、入力装置１００に挿入されて利用される入力シート２００の一例である入力シートＡ２００Ａの正面図である。
【００６３】
この入力シートＡ２００Ａは、例えば、切り欠き部２１０を有する所定の５角形の白紙の用紙がセットされたプリンタ７６０によって、上述の入力シート印刷機能が実行されることで生成される。
同図に示されるように、入力シートＡ２００Ａは、そのタッチパッド透過領域２３０に、複数の番組欄からなる番組表が印刷されている。
【００６４】
一例として、対応情報記憶部５５０が記憶する対応情報テーブル６００（図６参照）において、入力シートＡ２００Ａの入力シートＩＤ６１０は（図６のエントリＡ６６１参照）、（１）入力シートＡ２００Ａが入力装置１００に挿入された状態において、タッチパッド１１０を透過して視認することができる番組欄に対応する、タッチパッド１１０の操作面における領域を示す座標６２０それぞれと、（２）「レコーダ」となる送信対象機器６３０と、（３）対応付けられた座標６２０に対応する番組欄に記載されている番組を録画予約するための録画予約コマンドを示す送信対象情報６４０と、（４）「コマンド」となる情報種６５０とに対応付けられている。
【００６５】
入力シートＡ２００Ａを利用してレコーダ７２０を操作するユーザは、入力シートＡ２００Ａを入力装置１００に挿入した状態で、タッチパッド１１０を透過して視認することができる、録画したい番組の番組欄に対応する、タッチパッド１１０の操作面における領域を押下操作するという利用方法で、レコーダ７２０に、その録画したい番組の録画予約をするためのコマンドを送信する。
【００６６】
入力シート２００が挿入された状態で、タッチパッド１１０の操作面が押下操作された場合における、入力装置１００が行う処理については、後程＜入力信号送信処理＞の項目において、フローチャートを用いて詳細に説明する。
図９は、入力装置１００を、レコーダ７２０を操作する入力手段として利用するために、入力装置１００に挿入されて利用される入力シート２００の別の一例である入力シートＢ２００Ｂの正面図である。
【００６７】
入力シートＢ２００Ｂは、幼小児等の日本語を学習する者に対する知育教材としての知育用ブルーレイディスクとペアで利用されるものであって、知育用ブルーレイディスクがセットされた状態のレコーダ７２０を操作するために利用される。
この入力シートＢ２００Ｂは、例えば、知育用ブルーレイディスクを提供する提供者から知育用ブルーレイディスクと共に提供される。
【００６８】
図９に示されるように、入力シートＢ２００Ｂは、そのタッチパッド透過領域２３０に、ひらがなの５０音表が印刷されている。
５０音表のひらがなのそれぞれは、知育用ブルーレイディスクのチャプタに対応付けられている。
図１０は、レコーダ７２０によって、ひらがな「あ」に対応付けられた知育用ブルーレイディスクのチャプタ（例えばチャプタ＃１）が再生された場合に、接続ケーブル７７０を介してレコーダ７２０に接続されるテレビ７３０（図７参照）の画面に表示される映像の一例を模式的に示す模式図である。
【００６９】
同図に示されるように、画面の右半分には、大きな文字「あ」が表示され、画面の左半分には、「あ」から始まる単語である「あめ」という文字と、「あめ」に対応する映像とが表示されている。また、図１０では表現されていないが、画面の映像と同期して、テレビ７３０のスピーカから、「あ」という音声と「あめ」という音声とが出力される。
このように、知育用ブルーレイディスクのチャプタ＃１を再生するユーザは、視覚と聴覚とに刺激を受けながら、ひらがな「あ」を理解することができる。
【００７０】
一例として、対応情報記憶部５５０が記憶する対応情報テーブル６００（図６参照）において、入力シートＢ２００Ｂの入力シートＩＤ６１０は（図６のエントリＢ６６２参照）、（１）入力シートＢ２００Ｂが入力装置１００に挿入された状態において、タッチパッド１１０を透過して視認することができるひらがなに対応する、タッチパッド１１０の操作面における領域を示す座標６２０それぞれと、（２）「レコーダ」となる送信対象機器６３０と、（３）対応付けられた座標６２０に対応するひらがなに対応付けられている、知育用ブルーレイディスクのチャプタを再生するためのチャプタ再生コマンドと、（４）「コマンド」となる情報種６５０とに対応付けられている。
【００７１】
入力シートＢ２００Ｂを利用してレコーダ７２０を操作するユーザは、入力シートＢ２００Ｂを入力装置１００に挿入した状態で、タッチパッド１１０を透過して視認することができる、理解したいひらがなに対応する、タッチパッド１１０の操作面における領域を押下操作するという利用方法で、レコーダ７２０に、その理解したいひらがなに対応付けられたチャプタを再生するためのコマンドを送信する。
【００７２】
入力シート２００が挿入された状態で、タッチパッド１１０の操作面が押下操作された場合における、入力装置１００が行う処理については、後程＜入力信号送信処理＞の項目において、フローチャートを用いて詳細に説明する。
図１１は、入力装置１００を、オーブンレンジ７４０を操作する入力手段として利用するために、入力装置１００に挿入されて利用される入力シート２００の一例である入力シートＣ２００Ｃの正面図である。
【００７３】
この入力シートＣ２００Ｃは、例えば、オーブンレンジ７４０を製造する製造者から提供される。
同図に示されるように、入力シートＣ２００Ｃは、そのタッチパッド透過領域２３０に、オーブンレンジ７４０を用いて行う複数の調理方法が印刷されている。
一例として、対応情報記憶部５５０が記憶する対応情報テーブル６００（図６参照）において、入力シートＣ２００Ｃの入力シートＩＤ６１０は（図６のエントリＣ６６３参照）、（１）入力シートＢ２００Ｂが入力装置１００に挿入された状態において、タッチパッド１１０を透過して視認することができる調理方法に対応する、タッチパッド１１０の操作面における領域を示す座標６２０それぞれと、（２）「オーブンレンジ」となる送信対象機器６３０と、（３）対応付けられた座標６２０に対応する調理方法で調理するための調理コマンドを示す送信対象情報６４０と、（４）「コマンド」となる情報種６５０とに対応付けられている。
【００７４】
入力シートＣ２００Ｃを利用してオーブンレンジ７４０を操作するユーザは、入力シートＣ２００Ｃを入力装置１００に挿入した状態で、タッチパッド１１０を透過して視認することができる、実行したい調理方法に対応する、タッチパッド１１０の操作面における領域を押下操作するという利用方法で、オーブンレンジ７４０に、その調理方法で調理するためのコマンドを送信する。
【００７５】
入力シート２００が挿入された状態で、タッチパッド１１０の操作面が押下操作された場合における、入力装置１００が行う処理については、後程＜入力信号送信処理＞の項目において、フローチャートを用いて詳細に説明する。
図１２は、入力装置１００を、パソコン７５０にデータを入力する入力手段として利用するために、入力装置１００に挿入されて利用される入力シート２００の一例である入力シートＤ２００Ｄの正面図である。
【００７６】
入力シートＤ２００Ｄは、パソコン７５０で実行されるアンケート集計プログラムとペアで利用されるものであって、アンケート集計プログラムを実行するパソコン７５０にアンケートに対する回答データを入力するために利用される。
この入力シートＤ２００Ｄは、例えば、アンケート集計プログラムを提供する提供者から、アンケート集計プログラムと共に提供される。
【００７７】
図１２に示されるように、入力シートＤ２００Ｄは、そのタッチパッド透過領域２３０に、複数の設問と、複数の設問のそれぞれに対する回答図柄（ここでは「○」と「×」）と、「開始」の文字と、「終了」の文字（以下、これらの回答図柄、「開始」の文字、「終了」の文字のことを、単に「アンケート図柄」と呼ぶ。）とが印刷されている。
一例として、対応情報記憶部５５０が記憶する対応情報テーブル６００（図６参照）において、入力シートＤ２００Ｄの入力シートＩＤ６１０は（図６のエントリＤ６６４参照）、（１）入力シートＤ２００Ｄが入力装置１００に挿入された状態において、タッチパッド１１０を透過して視認することができる、アンケート図柄のそれぞれに対応する、タッチパッド１１０の操作面における領域を示す座標６２０それぞれと、（２）「パソコン」となる送信対象機器６３０と、（３）対応付けられた座標６２０に対応するアンケート図柄に対応付けられている、パソコン７５０への回答データと、（４）「データ」となる情報種６５０とに対応付けられている。
【００７８】
入力シートＤ２００Ｄを利用してパソコン７５０にアンケートに対する回答データを入力するユーザは、入力シートＤ２００Ｄを入力装置１００に挿入した状態で、タッチパッド１１０を透過して視認することができる、回答したいアンケート図柄に対応する、タッチパッド１１０の操作面における領域を、押下操作するという利用方法で、パソコン７５０に、そのアンケート図柄に対応する回答データを送信する。
【００７９】
入力シート２００が挿入された状態で、タッチパッド１１０の操作面が押下操作された場合における、入力装置１００が行う処理については、後程＜入力信号送信処理＞の項目において、フローチャートを用いて詳細に説明する。
アンケート集計プログラムを実行するパソコン７５０は、入力装置１００から送信された回答データについて、「開始」の文字に対して押下操作された旨を示すデータを受信してから、「終了」の文字に対して押下操作された旨を示すデータを受信するまでの期間に受信した、設問に対する回答データを、１枚のアンケート用紙における回答データ群として記憶する。そして、所定数以上の回答データ群を記憶すると、それら記憶する回答データ群を対象として、各種統計処理等を行う。
【００８０】
以下、図面を参照しながら、上記構成の入力装置１００の行う動作について説明する。
＜動作＞
ここでは、入力装置１００の行う動作のうち、特徴的な動作である、入力信号送信処理について説明する。
＜入力信号送信処理＞
入力信号送信処理は、入力装置１００が、ユーザからの入力操作に基づいて、外部機器に送信する送信信号を生成して出力する処理である。
【００８１】
図１３は、入力信号送信処理のフローチャートである。
入力信号送信処理は、入力装置１００の電源スイッチ１３０が押下されて、入力装置１００が起動されることによって開始される。
入力信号送信処理が開始されると、入力シート検知部５１０は、入力シート２００が挿入ガイド３２０の最深部まで挿入されていることを検知する状態になるまで待つ（ステップＳ１３１０：Ｎｏの処理を繰り返す）。
【００８２】
ステップＳ１３１０の処理において、入力シート検知部５１０が、入力シート２００が挿入ガイド３２０の最深部まで挿入されていることを検知すると（ステップＳ１３１０：Ｙｅｓ）、入力シート識別部５２０は、検知された入力シート２００のバーコード印刷領域２２０に印刷されたバーコードから、その入力シート２００を識別する入力シートＩＤの読み取りを試みる（ステップＳ１３２０）。
【００８３】
入力シートＩＤの読み取りの試みにおいて、入力シートＩＤを正しく読み取れた場合に（ステップＳ１３３０：Ｙｅｓ）、入力操作受付部５３０は、入力シート識別部５２０が入力シート２００を検知している期間中に、タッチパッド１１０の操作面への押下操作がなされるまで待つ（ステップＳ１３４０：Ｎｏ、ステップＳ１３５０：Ｙｅｓの処理を繰り返す）。
【００８４】
ステップＳ１３４０の処理において、タッチパッド１１０の操作面への押下操作がなされた場合に（ステップＳ１３４０：Ｙｅｓ）、入力操作受付部５３０は、タッチパッド１１０の操作面における、押下操作がなされた押下操作位置を検知する（ステップＳ１３６０）。
入力操作受付部５３０が押下操作位置を検知すると、送信信号生成部５４０は、対応情報記憶部５５０に記憶されている対応情報テーブルから、入力シート識別部５２０によって読み取られた入力シートＩＤに一致する入力シートＩＤ６１０と、入力操作受付部５３０によって検知された押下操作位置を含む座標６２０との双方に対応付けられている、送信対象機器６３０と送信対象情報６４０とを読み出し、読み出した送信対象機器６３０を送信対象機器として特定し、読み出した送信対象情報６４０を含む送信信号を生成する（ステップＳ１３７０）。
【００８５】
送信信号生成部５４０によって送信信号が生成されると、通信部５６０は、送信対象機器を送信先として、送信信号を送信する（ステップＳ１３８０）。
ステップＳ１３８０の処理が終了すると、入力装置１００は、再びステップＳ１３４０以下の処理を繰り返す。
ステップＳ１３３０の処理において、入力シートＩＤを正しく読み取れなかった場合に（ステップＳ１３３０：Ｎｏ）、入力シート識別部５２０は、スピーカ３５０から警告音を鳴らす（ステップＳ１３９０）。
【００８６】
ステップＳ１３９０の処理が終了した場合、又は、ステップＳ１３５０の処理において、入力シート識別部５２０が入力シート２００を検知しない場合（ステップＳ１３５０：Ｎｏ）に、入力装置１００は、再びステップＳ１３１０以下の処理を繰り返す。
＜実施の形態２＞
＜概要＞
以下、本発明の態様に係る入力装置の一実施形態として、番組の録画予約を行う機能を有するレコーダに、番組の録画予約を行わせるための信号を送信する入力装置１４００について説明する。
【００８７】
この入力装置１４００は、透明な操作面を有するタッチパッド１４１０を備える。入力装置１４００を利用するユーザは、タッチパッド１４１０の背後に重ねられた新聞紙のテレビ欄を視認しながら、タッチパッド１４１０の操作面を押下操作する。すると、入力装置１４００は、そのテレビ欄に掲載されている番組表に対応する番組を、レコーダに録画予約させる。
【００８８】
以下、本実施の形態２に係る入力装置１４００について、図面を参照しながら説明する。
＜ハードウエア構成＞
図１４は、入力装置１４００の斜視図である。この図１４には、外部から直接視認することができない、入力装置１４００の内部構造の一部が、あたかも外部から視認することができるかのように破線で図示されている。
【００８９】
同図に示されるように、入力装置１４００は、平板状の略直方体の形状をした筐体を有し、その主表面に、タッチパッド１４１０と電源ボタン１４５０と送信ボタン１４６０とキャンセルボタン１４７０とスピーカ孔１４８０とを備え、その内部に、スキャナ１４２０と基板１４３０とアンテナ構体１４４０とスピーカ１４８５と電池１４９０とを内蔵する。但し、後述するように、筺体に内蔵されるスキャナ１４２０は、その一部が、背面側に露出している。
【００９０】
タッチパッド１４１０は、例えば、透明電極（例えば、ＩＴＯ製）を備える、例えば、抵抗膜式の透明なタッチパッドであって、主表面にユーザによる押下操作を受け付ける操作面を有し、操作面の左上隅にテレビ欄位置合わせマーク１４２１が印刷されている。入力装置１４００を利用するユーザは、入力装置１４００の主表面側外部から、透明なタッチパッド１４１０を通して、入力装置１４００の背後を視認することができる。このタッチパッド１４１０の大きさは、およそ、新聞紙１面分の大きさとなっている。
【００９１】
テレビ欄位置合わせマーク１４２１は、入力装置１４００を利用するユーザが、入力装置１４００を新聞紙のテレビ欄の上に重ねて利用する場合において、入力装置１４００と新聞紙のテレビ欄との位置合わせのために利用されるマークである。入力装置１４００を利用するユーザは、新聞紙のテレビ欄の左上隅の位置とこのテレビ欄位置合わせマーク１４２１の位置とが互いに重ね合わせられるように、新聞紙のテレビ欄の上に入力装置１４００を重ねることで、入力装置１４００の背後に新聞紙のテレビ欄をセットする。
【００９２】
スキャナ１４２０は、印刷物等からその画像情報を取り込むイメージスキャナであって、タッチパッド１４１０の上部の筐体内部に内蔵される。
図１５は、図１４中に記されたＡ点とＢ点とを結ぶ線分を含む断面における、入力装置１４００の断面図である。
同図に示されるように、スキャナ１４２０は、入力装置１４００の背後に重ねられた印刷物からその画像情報を取り込むことができるように、その一部が筐体の背面側に露出しており、入力装置１４００の背後に新聞紙のテレビ欄がセットされた状態において、その新聞紙から、その新聞紙に印刷された新聞社名と発行日時と示す画像情報を取り込むことができる位置に配置されている。
【００９３】
図１６は、入力装置１４００の背後にセットされる新聞紙のテレビ欄を含む紙面である新聞紙テレビ欄紙面１６００の概略構成を示す概略構成図である。
同図において、スキャン領域１６１０は、入力装置１４００のテレビ欄位置合わせマーク１４２１がテレビ欄の左上隅に重ねられるように、新聞紙テレビ欄紙面１６００の上に入力装置１４００を重ねられている場合における、スキャナ１４２０のスキャン対象となる領域を示している。
【００９４】
同図に示されるように、一般的な新聞紙の紙面では、上部の欄外の部分に、その新聞紙を発行する新聞社名とその新聞紙の発行された発行日時とが印刷されており、これらの印刷部分がスキャン領域１６１０に含まれるように、テレビ欄位置合わせマーク１４２１とスキャナ１４２０との相対位置関係が定められている。
再び図１４に戻って、以下、入力装置１４００のハードウエア構成の説明を続ける。
【００９５】
基板１４３０は、電子部品を装着するための回路基板であって、その主表面に、後述する、メモリ１７３１とタッチパッドコントローラ１７３２とＣＰＵ１７３３と通信用ＬＳＩ１７３４とを装着する。なお、これらの電子部品は、図１４中には図示されていない。
アンテナ構体１４４０は、その表面に、外部の機器と通信するためのアンテナ１７４１（図１４中には図示されず。後述。）を装着するための構造体であって、例えば、プラスチック製である。
【００９６】
図１７は、入力装置１４００を構成する主要な回路の構成を示す回路構成図である。
同図に示されるように、入力装置１４００は、タッチパッド１４１０とタッチパッドコントローラ１７３２とスキャナ１４２０とメモリ１７３１とＣＰＵ１７３３と通信用ＬＳＩ１７３４とアンテナ１７４１とスピーカ１４８５と送信ボタン１４６０とキャンセルボタン１４７０と電池１４９０とから構成される。
【００９７】
タッチパッド１４１０は、タッチパッドコントローラ１７３２に接続され、タッチパッドコントローラ１７３２によって制御され、ユーザによる押下操作を受け付ける操作面を有し、操作面においてユーザの押下操作がなされると、その押下操作がなされた位置を示す電気信号（以下、「押下位置信号」と呼ぶ。）を生成してタッチパッドコントローラ１７３２に送る機能を有する。
【００９８】
タッチパッドコントローラ１７３２は、タッチパッド１４１０とＣＰＵ１７３３とに接続され、ＣＰＵ１７３３によって制御され、タッチパッド１４１０を制御する機能と、タッチパッド１４１０から送られて来た押下位置信号を受け取ると、受け取った押下位置信号をＣＰＵ１７３３に送る機能とを有する。
スキャナ１４２０は、ＣＰＵ１７３３に接続され、ＣＰＵ１７３３によって制御され、入力装置１４００の背後に新聞紙のテレビ欄がセットされた状態において、その新聞紙から、その新聞紙に印刷された新聞社名と発行日時と示す画像情報を取り込み、取り込んだ画像情報を示す電気信号（以下、「取込信号」と呼ぶ。）を生成してＣＰＵ１７３３に送る機能を有する。
【００９９】
アンテナ１７４１は、通信用ＬＳＩ１７３４に接続された、例えば、金属製（例えば、ステンレス製）薄膜からなるモノポールアンテナであって、アンテナ構体１４４０（図１４参照）の表面に装着される。
通信用ＬＳＩ１７３４は、アンテナ１７４１とＣＰＵ１７３３とに接続され、ＣＰＵ１７３３によって制御され、実施の形態１に係る通信用ＬＳＩ３３４と同様の機能を有する。
【０１００】
メモリ１７３１は、ＣＰＵ１７３３に接続され、ＣＰＵ１７３３の動作を規定するプログラムと、ＣＰＵ１７３３が利用するデータとを記憶する。
このメモリ１７３１は、例えば、実施の形態１に係るメモリ３３１と同様に、ＲＯＭとＲＡＭとフラッシュメモリとから構成される。
スピーカ１４８５は、ＣＰＵ１７３３に接続され、ＣＰＵ１７３３によって制御され、ＣＰＵ１７３３から音声信号が送られてくると、送られて来た音声信号を音声に変換して出力する機能を有する。スピーカ１４８５から出力された音声は、スピーカ孔１４８０（図１４参照）を通して、入力装置１４００の外部に伝搬する。
【０１０１】
送信ボタン１４６０は、ＣＰＵ１７３３に接続され、押下操作がなされた場合に、送信ボタン１４６０が押下操作された旨の信号を、ＣＰＵ１７３３に送信する機能を有する。
キャンセルボタン１４７０は、ＣＰＵ１７３３に接続され、押下操作がなされた場合に、キャンセルボタン１４７０が押下操作された旨の信号を、ＣＰＵ１７３３に送信する機能を有する。
【０１０２】
電池１４９０は、入力装置１４００を構成する電子部品に電力を供給する直流電源である。
ＣＰＵ１７３３は、タッチパッドコントローラ１７３２とスキャナ１４２０と通信用ＬＳＩ１７３４とメモリ１７３１とスピーカ１４８５と送信ボタン１４６０とキャンセルボタン１４７０とに接続され、メモリ１７３１に記憶されているプログラムを実行することで、タッチパッドコントローラ１７３２とスキャナ１４２０と通信用ＬＳＩ１７３４とスピーカ１４８５とを制御する機能を実現する。また、これらの電子部品を制御することで、入力装置１４００に、以下の番組録画予約機能を実現させる機能を有する。
【０１０３】
番組録画予約機能：入力装置１４００の背後に新聞紙のテレビ欄がセットされた状態において、タッチパッド１４１０の操作面においてユーザの押下操作がなされると、その押下操作がなされた位置に対応する、テレビ欄に記載されている番組を、外部のレコーダに録画予約させるためのコマンドを送信する機能。
この番組録画予約機能は、ＣＰＵ１７３３がプログラムを実行することで、入力装置１４００に後述の番組録画予約処理を実行させることで実現される。なお、この番組録画予約処理については、後程＜番組録画予約処理＞の項目において、フローチャートを用いて詳細に説明する。
【０１０４】
上記ハードウエア構成を備える入力装置１４００について、以下、機能面から見た機能構成について図面を参照しながら説明する。
＜機能構成＞
図１８は、入力装置１４００によって実現される機能を構成する主要な機能ブロックを示す機能ブロック図である。
【０１０５】
同図に示されるように、入力装置１４００は、読取部１８１０とサンプル画像記憶部１８２０と入力操作受付部１８３０と送信信号生成部１８４０と番組情報記憶部１８５０と送信部１８６０とから構成される。
読取部１８１０は、ＣＰＵ１７３３がスキャナ１４２０を制御することで実現され、サンプル画像記憶部１８２０と入力操作受付部１８３０とに接続され、以下の３つの機能を有する。
【０１０６】
取込機能：入力装置１４００の背後にセットされた新聞紙から、その新聞紙に印刷された新聞社名と発行日時と示す画像情報を取り込む機能。
特定機能：新聞紙から新聞社名と発行日時と示す画像情報を取り込んだ場合に、サンプル画像記憶部１８２０に記憶されているサンプル画像とのマッチング処理を行うことで、その新聞紙を発行した新聞社名と、その新聞紙が発行された発行日時とを特定し、特定した新聞社名を示す新聞社名信号と、特定した日時を示す日時信号とを、入力操作受付部１８３０に送る機能。
【０１０７】
発音機能：入力装置１４００の背後にセットされた新聞紙から、その新聞紙に印刷された新聞社名と発行日時と示す画像情報を取り込む試みを行った場合において、その試みに失敗したときに、スピーカ１４８５から警告音を発する機能。
サンプル画像記憶部１８２０は、読取部１８１０が取り込んだ新聞社名と発行日時とを示す画像情報に対するマッチング処理を行うためのサンプル画像を記憶する機能を有する。記憶するサンプル画像の例としては、例えば、新聞社名を示す文字列、新聞社を特定することができるロゴ図面、日時を示す数字列、日時を示す文字列等がある。
【０１０８】
入力操作受付部１８３０は、ＣＰＵ１７３３が、タッチパッド１４１０を制御するタッチパッドコントローラ１７３２を制御することで実現され、読取部１８１０と送信信号生成部１８４０とに接続され、読取部１８１０から新聞社名信号と日時信号とを受け取った場合において、タッチパッド１１０の操作面への押下操作がなされたときに、その押下操作がなされた位置を示す押下位置信号と、受け取った新聞社名信号と日時信号とを、送信信号生成部１８４０へ送信する機能を有する。
【０１０９】
番組情報記憶部１８５０は、メモリ１７３１が有する記憶領域の一部によって実現され、送信信号生成部１８４０に接続され、番組情報テーブルを記憶する機能を有する。
図１９は、番組情報記憶部１８５０が記憶する番組情報テーブルの一例である番組情報テーブル１９００の構成を示す構成図である。
同図に示されるように、番組情報テーブル１９００は、新聞社名１９１０と座標１９２０と番組１９３０とが対応付けられて構成されている。
【０１１０】
新聞社名１９１０は、入力装置１４００の背後にセットされる新聞紙の新聞社名を示す情である。
座標１９２０は、タッチパッド１４１０の操作面における長方形の領域の位置を示す情報であって、該当する長方形の領域の左上の位置を示す第１座標情報と、該当する長方形の領域の右下の位置を示す第２座標情報との組からなる。これらの第１座標情報と第２座標情報とは、それぞれ、タッチパッド１４１０の操作面におけるテレビ欄位置合わせマーク１４２１を原点とする直交座標系における座標を示す情報となっている。
【０１１１】
番組１９３０は、対応する新聞社名１９１０の新聞紙のテレビ欄が入力装置１４００の背後にセットされた場合において、対応する座標１９２０によって示されるタッチパッド１４１０の操作面における長方形の領域の位置に対応する、テレビ欄におけるチャンネルと時間帯とを特定する情報である。
再び図１８に戻って、入力装置１４００の機能構成についての説明を続ける。
【０１１２】
送信信号生成部１８４０は、ＣＰＵ１７３３によって実現され、入力操作受付部１８３０と番組情報記憶部１８５０と送信部１８６０とに接続され、以下の２つの機能を有する。
読出機能：入力操作受付部１８３０から、押下位置信号と新聞社名信号と日時信号とを受け取った場合に、番組情報記憶部１８５０に記憶されている番組情報テーブルから、受け取った新聞社名信号によって示される新聞社名に一致する新聞社名１９１０と、受け取った押下位置信号によって示される押下操作がなされた位置を含む座標１９２０との双方に対応付けられている、番組１９３０を読み出す機能。
【０１１３】
送信信号生成機能：入力操作受付部１８３０から送られて来た日時信号によって示される日時についての、読み出した番組１９３０によって特定されるチャンネルと時間帯とを含む番組を録画する旨のコマンドを含む送信信号を生成して、送信部１８６０に送る機能。
送信部１８６０は、ＣＰＵ１７３３が通信用ＬＳＩ１７３４を制御することで実現され、送信信号生成部１８４０に接続され、以下の３つの機能を有する。
【０１１４】
送信機能：送信信号生成部１８４０から送られて来た送信信号を、例えば、ＩＥＥＥ８０２．１１規格の無線ＬＡＮシステムで利用される所定の信号に変調して外部のレコーダ２０２０（後述）に送信する機能。
発音機能１：外部のレコーダへの信号の送信を実行した場合に、スピーカ１４８５から効果音を発する機能。
【０１１５】
発音機能２：外部のレコーダへの信号の送信のキャンセルを実行した場合に、スピーカ１４８５から効果音を発する機能。
以下、上記構成を備える入力装置１４００を利用するシステムの一例である、レコーダ操作システム２０００について説明する。
＜レコーダ操作システム＞
レコーダ操作システム２０００は、入力装置１４００を用いて、レコーダに番組録画予約をさせるシステムである。
【０１１６】
図２０は、レコーダ操作システム２０００の構成を示す概略構成図である。
レコーダ操作システム２０００は、入力装置１４００とレコーダ２０２０とテレビ２０３０と接続ケーブル２０７０とから構成される。
レコーダ２０２０は、接続ケーブル２０７０を介してテレビ２０３０に接続されるブルーレイレコーダであって、一般的なブルーレイレコーダが有する録画再生機能に加えて、以下の２つの機能を有する。
【０１１７】
通信機能：例えば、ＩＥＥＥ８０２．１１規格の無線ＬＡＮシステムで利用される所定の信号を利用して、入力装置１４００と通信する機能。
コマンド実行機能：入力装置１４００から送信された、レコーダを操作するコマンドを含む信号を受信すると、そのコマンドを実行する機能。
テレビ７３０は、接続ケーブル２０７０を介してレコーダ２０２０に接続される、一般的なテレビが有する映像表示機能を有するテレビである。
【０１１８】
以下、図面を参照しながら、上記構成の入力装置１４００の行う動作について説明する。
＜動作＞
ここでは、入力装置１４００の行う動作のうち、特徴的な動作である番組録画予約処理について説明する。
【０１１９】
＜番組録画予約処理＞
番組録画予約処理は、入力装置１４００が、ユーザからの入力操作に基づいて、外部のレコーダを操作するコマンドを含む送信信号を生成して出力する処理である。
図２１は、番組録画予約処理のフローチャートである。
番組録画予約処理は、入力装置１４００の背後に新聞紙のテレビ欄をセットした状態で電源ボタン１４５０が押下されて、入力装置１４００が起動されることによって開始される。
【０１２０】
番組録画予約処理が開始されると、読取部１８１０は、入力装置１４００の背後にセットされた新聞紙から、その新聞紙に印刷された新聞社名と発行日時と示す画像情報を取り込み、取り込んだ画像情報に対して、サンプル画像記憶部１８２０に記憶されているサンプル画像とのマッチング処理を行うことで、その新聞紙から、新聞社名と日時との特定を試みる（ステップＳ２１００）。
【０１２１】
新聞紙から、その新聞の新聞社名と日時とを特定できた場合に（ステップＳ２１１０：Ｙｅｓ）、入力操作受付部１８３０は、タッチパッド１４１０の操作面への押下操作がなされるまで待つ（ステップＳ２１２０：Ｎｏの処理を繰り返す）。
ステップＳ２１２０の処理において、タッチパッド１４１０の操作面への押下操作がなされた場合に（ステップＳ２１２０：Ｙｅｓ）、入力操作受付部１８３０は、タッチパッド１４１０の操作面における、押下操作がなされた押下操作位置を検知する（ステップＳ２１３０）。
【０１２２】
入力操作受付部１８３０が押下操作位置を検出すると、送信信号生成部１８４０は、番組情報記憶部１８５０に記憶されている番組情報テーブルから、読取部１８１０によって特定された新聞社名信号によって示される新聞社名に一致する新聞社名１９１０と、入力操作受付部１８３０によって検知された押下位置信号によって示される押下操作がなされた位置を含む座標１９２０との双方に対応付けられている、番組１９３０を読み出し、読取部１８１０によって特定された日時についての、読み出した番組１９３０によって特定されるチャンネルと時間帯とを含む番組を録画する旨のコマンドを含む送信信号を生成する（ステップＳ２１４０）。
【０１２３】
送信信号生成部１８４０が送信信号を生成すると、送信部１８６０は、キャンセルボタン１４７０が押下される前に、送信ボタンが押下されるまで待つ（ステップＳ２１５０：Ｎｏ、ステップＳ２１７０：Ｎｏの処理を繰り返す）。
ステップＳ２１７０の処理において、キャンセルボタン１４７０が押下される前に送信ボタン１４６０が押下されると（ステップＳ２１７０：Ｙｅｓ）、送信部１８６０は、送信信号生成部１８４０によって生成された生成信号を変調して外部のレコーダに送信し（ステップＳ２１８０）、スピーカ１４８５から効果音を発する（ステップＳ２１９０）。
【０１２４】
ステップＳ２１５０の処理において、送信ボタン１４６０が押下される前にキャンセルボタン１４７０が押下されると（ステップＳ２１５０：Ｙｅｓ）、送信部１８６０は、スピーカ１４８５から効果音を発して（ステップＳ２１６０）、再びステップＳ２１２０以下の処理を繰り返す。
ステップＳ２１１０の処理において、新聞紙から、その新聞の新聞社名と日時とを特定できなかった場合に（ステップＳ２１１０：Ｙｅｓ）、読取部１８１０は、スピーカ１４８５から警告音を発し（ステップＳ２２００）、再びステップＳ２１００以下の処理を繰り返す。
【０１２５】
ステップＳ２１７０の処理が終わると、入力装置１４００は、その番組録画予約処理を終了する。
＜補足＞
以上、本発明に係る入力装置の一実施形態として、実施の形態１、実施の形態２において、２つの入力装置の例について説明したが、以下のように変形することも可能であり、本発明は上述した実施の形態で示した通りの入力装置に限られないことはもちろんである。
【０１２６】
（１）実施の形態１において、タッチパッド１１０が透明であって、タッチパッド１１０の背後に入力シート２００がセットされる構成の例について説明した、しかしながら、重ねられてセットされる入力シートの図柄に対応する押下操作位置を検出する機能を備えていれば、タッチパッドは、必ずしも透明である必要はない。一例として、不透明なタッチパッドの操作面の上側に入力シートを重ねることで入力シートがセットされる構成の例等が考えられる
（２）実施の形態１において、入力シート２００が紙製である構成の例について説明した。しかしながら、入力シート２００は、表面に図柄を印刷することができて、入力シート挿入口１２０から入力装置１００内部に挿入することができる材質であれば、必ずしも紙製である必要はなく、例えば、薄膜状のプラスチック製であっても構わない。
【０１２７】
（３）実施の形態１において、入力シート２００に、自シートを識別するための入力シートＩＤを示す情報を含むバーコードが印刷され、入力装置１００に、バーコードリーダ３１０が備えられている構成の例について説明した。しかしながら、入力装置１００によって、入力シート２００が識別されることができれば、必ずしも、入力シート２００に、自シートを識別するための入力シートＩＤを示す情報を含むバーコードが印刷され、入力装置１００に、バーコードリーダ３１０が備えられている構成に限られない。一例として、入力シートに、自シートを識別するための入力シートＩＤを示す情報を含むＱＲコード（登録商標）が印刷され、入力装置にＱＲコード（登録商標）リーダが備えられている構成、入力シートに、自シートを識別するためのセルの組み合わせの位置にパンチ穴が空けられ、入力装置に、パンチ穴の位置を検出するパンチ穴検出手段が備えられている構成等が考えられる。
【０１２８】
（４）実施の形態１において、タッチパッド１１０が、抵抗膜方式のタッチパッドである構成の例について説明した。しかしながら、タッチパッド１１０は、ユーザからの操作位置を検出する機能を有していれば、必ずしも抵抗膜方式のタッチパッドに限られる必要はなく、例えば、静電容量方式のタッチパッド、光学方式のタッチパッド等であっても構わない。
【０１２９】
（５）実施の形態１において、家電操作システム７００は、ＩＥＥＥ８０２．１１規格の無線ＬＡＮシステムで利用される所定の信号を用いて通信を行う構成の例について説明した。しかしながら、無線信号を用いて通信を行うことができれば、必ずしも、ＩＥＥＥ８０２．１１規格の無線ＬＡＮシステムで利用される所定の信号を用いて通信を行う構成に限られる必要はなく、例えば、ＩｒＤＡ規格に準拠する赤外線信号を用いて通信を行う構成であっても構わない。なお、ＩｒＤＡ規格に準拠する赤外線信号を用いて通信を行う構成は、通信を行う機器のそれぞれが、赤外線送受信手段を備えることで実現され得る。
【０１３０】
（６）実施の形態１において、入力シートＢ２００Ｂにひらがなの５０音表が印刷され、ひらがなのそれぞれが知育用ブルーレイディスクのチャプタに対応付けられている構成の例について説明した。しかしながら、入力シートに複数の文字が印刷され、これらの文字のそれぞれが知育用ブルーレイディスクのチャプタのそれぞれに対応付けられていれば、必ずしも、入力シートＢ２０Ｂにひらがなの５０音表が印刷される構成に限られる必要はない。一例として、入力シートにアルファベットの２６文字の一覧が印刷され、アルファベットの文字それぞれが知育用ブルーレイディスクのチャプタのそれぞれに対応付けられている構成の例等が考えられる。
【０１３１】
（７）実施の形態２において、入力装置１４００がキャンセルボタン１４７０を備える構成の例について説明した。しかしながら、入力装置１４００が、ユーザによるキャンセルする旨の操作を受け付ける機能を有していれば、必ずしもキャンセルボタン１４７０を備える必要はない。例えば、入力装置が、タッチパッド１４１０に対する所定の操作（例えば、タッチパッド１４１０の同じ領域における複数回の押下操作等）を受け付けることで、ユーザによるキャンセルする旨の操作を受け付ける構成である例等が考えられる。
【０１３２】
（８）実施の形態１において、入力装置１００は、入力シートＣ２００Ｃが挿入されることで、オーブンレンジ７４０に、そのオーブンレンジを操作するコマンドを送信する構成の例について説明した。これに対して、別の一例として、オーブンレンジが複数のレシピを記憶していて、入力装置がそれらのレシピの中の１つを実行させる旨の信号を送信するという構成の例が考えられる。
【０１３３】
（９）実施の形態１において、入力装置１００は、入力シートＡ２００Ａが挿入されることで、レコーダ７２０に録画予約コマンドを送信する構成の例について説明した。これに対して、別の一例として、入力装置１００は、例えば、入力シートＡ２００Ａと同様の入力シートである入力シートＥが挿入されることで、テレビ７３０に視聴予約コマンドを送信する構成の例も考えられる。この構成の例における、対応情報テーブル（図６参照）のエントリ例として、例えば、エントリＥ６６５等が考えられる。
【０１３４】
（１０）実施の形態２において、入力装置１４００は、その背後に重ねる新聞紙のテレビ欄は、折り畳まれることのない状態で重ねられることが想定された構成となっている。これに対して、別の一例として、新聞紙のテレビ欄の一部が折り畳まれている状態で重ねられることが想定された構成の例も考えられる。
（１１）実施の形態１、実施の形態２において、信号の入力対象となる機器は、主として家庭内で利用される電子機器である構成の例について説明した。これに対して、別の一例として、信号の入力対象となる機器が、主として工場、工事現場等で利用される産業用機器である構成の例も考えられる。
【０１３５】
（１２）実施の形態１において、入力装置１００は、ユーザからの入力操作位置を検出するデバイスとして、タッチパッド１１０を備える構成の例について説明した。しかしながら、ユーザからの入力操作位置を検出することができれば、必ずしもタッチパッドである必要はない。一例として、赤外線レーザ光を利用する位置検出センサを備える構成等が考えられる。さらに、以下のような別の例も考えられる。
【０１３６】
図２２は、ユーザからの入力操作位置を検出するデバイスを、半透明な描画パネルとタッチパッドとの組み合わせで実現する構成の入力装置２２００の斜視図である。
同図に示されるように、入力装置２２００は、実施の形態１に係る入力装置１００が備えるタッチパッド１１０の替わりに、半透明な描画パネル２２１０とタッチパッド２２２０とを備える。図中の一点鎖線は、描画パネル２２１０を通して視認される、筐体内部に挿入された入力シートの図柄を模式的に示している。
【０１３７】
入力装置２２００を利用するユーザは、タッチパッド２２２０を操作することで、描画パネル２２１０に表示されるカーソル２２３０を移動させ、筐体内部に挿入された入力シートの図柄を選択することができる。
図２３は、ユーザからの入力操作位置を検出するデバイスを、半透明な描画パネルとマウスとの組み合わせで実現する構成の入力装置２３００の斜視図である。
【０１３８】
同図に示されるように、入力装置２３００は、実施の形態１に係る入力装置１００が備えるタッチパッド１１０の替わりに、半透明な描画パネル２３１０と着脱可能なマウス２３２０とを備える。図中の一点鎖線は、描画パネル２３１０を通して視認される、筐体内部に挿入された入力シートの図柄を模式的に示している。
入力装置２３００を利用するユーザは、マウス２３２０を操作することで、描画パネル２３１０に表示されるカーソ２３３０ルを移動させ、筐体内部に挿入された入力シートの図柄を選択することができる。
【産業上の利用可能性】
【０１３９】
本発明は、電子機器に信号を入力するための入力装置に広く利用することができる。
【符号の説明】
【０１４０】
１１０  タッチパッド
３１０  バーコードリーダ
３２１  入力シート検知センサ
３３１  メモリ
３３２  タッチパッドコントローラ
３３３  ＣＰＵ
３３４  通信用ＬＳＩ
３４１  アンテナ
３５０  スピーカ
３６０  電池
５１０  入力シート検知部
５２０  入力シート識別部
５３０  入力操作受付部
５４０  送信信号生成部
５５０  対応情報記憶部
５６０  通信部
５７０  対応情報更新部
【図１】
2013228929.tif 000003
【図２】
2013228929.tif 000004
【図３】
2013228929.tif 000005
【図４】
2013228929.tif 000006
【図５】
2013228929.tif 000007
【図６】
2013228929.tif 000008
【図７】
2013228929.tif 000009
【図８】
2013228929.tif 000010
【図９】
2013228929.tif 000011
【図１０】
2013228929.tif 000012
【図１１】
2013228929.tif 000013
【図１２】
2013228929.tif 000014
【図１３】
2013228929.tif 000015
【図１４】
2013228929.tif 000016
【図１５】
2013228929.tif 000017
【図１６】
2013228929.tif 000018
【図１７】
2013228929.tif 000019
【図１８】
2013228929.tif 000020
【図１９】
2013228929.tif 000021
【図２０】
2013228929.tif 000022
【図２１】
2013228929.tif 000023
【図２２】
2013228929.tif 000024
【図２３】
2013228929.tif 000025